(57)【要約】  本願では、オーディオデバイス、聴覚デバイスまたは同様のデバイスで使用するための小型化コネクタ用のレセプタクル及びプラグを開示する。
2015518261.tif 000002
【特許請求の範囲】
【請求項１】
オーディオデバイス、聴覚デバイスまたは同様のデバイスで使用するための小型化コネクタ用のレセプタクル（１００Ａ、１００Ｃ）であって、当該レセプタクルが、
−第１接点バネ（２０２）及び筐体部分（１０８）を備える第１雌型レセプタクル部品であって、前記筐体部分が、前記第１接点バネ（２０２）を収容するように構成された第１凹所（１０２）を有する、第１雌型レセプタクル部品と、
−前記第１雌型レセプタクル部品の内側に位置する第１雄型レセプタクル部品（３００）と、
を備えることを特徴とするレセプタクル。
【請求項２】
第２接点バネ（２０４）をさらに備え、
前記筐体部分が、第２接点バネ（２０４）を収容するように構成された第２凹所（１０４）を備えることを特徴とする請求項１に記載のレセプタクル。
【請求項３】
前記第１接点バネ（２０２）及び／または前記第２接点バネ（２０４）が、少なくとも１つの屈曲部を有することを特徴とする請求項１または２に記載のレセプタクル。
【請求項４】
オーディオデバイス、聴覚デバイスまたは同様のデバイスで使用するための小型化コネクタ用のプラグ（４００Ａ、４００Ｂ、４００Ｃ）であって、当該プラグが、
−第１雄型プラグ部品（９００）と、
−前記第１雄型プラグ部品（９００）の内側に位置する第１雌型プラグ部品（５００）であって、前記第１雄型プラグ部品（９００）が、対応するレセプタクルの内側に当該プラグを固定するように構成された凹所（９０４）を備える、第１雌型プラグ部品と、
を備えることを特徴とするプラグ。
【請求項５】
前記第１雌型プラグ部品（５００）と前記第１雄型プラグ部品（９００）との間に配置された第１絶縁体（６００）をさらに備え、それにより、前記第１雌型及び第１雄型プラグ部品間の電気的接触を防止することを特徴とする請求項４に記載のプラグ。
【請求項６】
少なくとも第１ワイヤ（１００２）及び第２ワイヤ（１００６）を有するケーブル（１０００）をさらに備え、
前記第１ワイヤが、前記第１雌型プラグ部品（５００）に接続され、
前記第２ワイヤ（１００６）が、前記第１雄型プラグ部品（９００）に接続されることを特徴とする請求項４または５に記載のプラグ。
【請求項７】
前記第１ワイヤ（１００２）及び前記第２ワイヤ（１００６）が、リッツ線であることを特徴とする請求項６に記載のプラグ。
【請求項８】
前記ケーブルが、強化部材（１００８）及びジャケット（１０１０）をさらに備え、
前記ジャケットが、少なくとも前記第１及び第２ワイヤと前記強化部材とを囲むことを特徴とする請求項６または７に記載のプラグ。
【請求項９】
第２雄型プラグ部品（７００）と、前記第１雄型プラグ部品（５００）と前記第２雄型プラグ部品（７００）との間に配置された第２絶縁体（８００）と、をさらに備え、
前記第２雄型プラグ部品（７００）が、前記第１及び第２雄型プラグ部品間の電気的接触を防止することを特徴とする請求項４から８のいずれか１項に記載のプラグ。
【請求項１０】
前記ケーブル（１０００）が、第３ワイヤ（１００４）をさらに備え、
前記第１ワイヤが、前記第２雄型プラグ部品（７００）に接続されることを特徴とする請求項９に記載のプラグ。
【請求項１１】
公知のマイクロジャックコネクタよりも小さいサイズのコネクタを必要とするデバイス、すなわち、オーディオデバイス、聴覚デバイスまたは同様のデバイスで使用するのに適した小型化コネクタであって、
当該コネクタが、請求項４から１０のいずれか１項に記載のプラグと、請求項１から３のいずれか１項に記載のレセプタクルと、を備え、
当該コネクタを組み立てると、
−前記第１雌型プラグ部品（５００）が、前記第１雌型レセプタクル部品の内側に位置する前記第１雄型レセプタクル部品（３００）と電気的に接触し、
−前記第１雄型プラグ部品（９００）が、前記第１接点バネ（２０２）と電気的に接触することを特徴とする小型化コネクタ。
【請求項１２】
前記プラグが、前記第２雄型プラグ部品（７００）を備え、
前記レセプタクルが、前記第２接点バネ（２０４）を備え、
当該コネクタを組み立てると、前記第２雄型プラグ部品（７００）が、前記第２接点バネ（２０４）と電気的に接触することを特徴とする請求項１１に記載の小型化コネクタ。
【発明の詳細な説明】
【技術分野】
【０００１】
本発明は、主にオーディオ産業用の小型化コネクタに関する。コネクタは、プラグ及びレセプタクルを備え、レセプタクルは、例えばイヤピース、イヤモニタなどのデバイス内に組み込まれるように構成されており、プラグは、ケーブルを介して、電力源に接続されている。
【背景技術】
【０００２】
電気コネクタは、２つの物体を電気的に接続する必要がある可能性のある産業ほぼすべてにおいて使用されている。例えば警備、ＴＶ及び音楽産業などで使用される補聴器及びイヤモニタなどの用途において、スペース及び外観は、非常に重要であり、電気コネクタのサイズは、例えば電気デバイス内に嵌り込むために、小さい必要がある。
【０００３】
このようなコネクタの例は、公知のマイクロジャックコネクタであり、イヤホンをデバイスに接続するために、例えば携帯電話機、ＭＰ３プレーヤなどで使用される。マイクロジャックコネクタは、１組の接点、主として３つの接点を有するプラグと、（例えば携帯電話機またはＭＰ３プレーヤに搭載された）レセプタクルであって、プラグをこのレセプタクル内に挿入すると、それぞれがプラグにある対応する電気的接点の１つと電気的に接触する対応する１組の接点を有する、レセプタクルと、を備える。
【０００４】
マイクロジャックコネクタのプラグの外径は、大抵、２ｍｍ〜３ｍｍのオーダーであり、プラグの長さは、１ｃｍ〜３ｃｍのオーダーである。
【発明の概要】
【発明が解決しようとする課題】
【０００５】
これら公知のマイクロジャックコネクタの構造では、これらのサイズをさらに低減することがかなり困難である。
【課題を解決するための手段】
【０００６】
オーディオデバイス、聴覚デバイスまたは同様のデバイスで使用するための小型化コネクタのためのレセプタクルを本明細書で開示しており、レセプタクルは、第１接触バネ及び筐体部分を備え、筐体部分が第１接触バネを収容するように構成された第１凹所を有する第１雌型レセプタクル部品と、第１雌型レセプタクル部品の内側に配置された第１雄型レセプタクル部品と、を備える。
【０００７】
内側接点がない公知のマイクロジャックコネクタと比較して、雄型レセプタクルを雌型レセプタクルの内側に設けることにより、レセプタクルのサイズを２倍から３倍だけ低減することが可能となる。オーディオデバイス、聴覚デバイスまたは同様のデバイスにプラグを組み込むときに、サイズが重要な要因であり、単にサイズが５０％低減することが大きな違いである場合に、これは、有意義である。
【０００８】
さらに、本発明の接点バネは、簡素であり、レセプタクルとプラグとの間の電気的接触機能を提供し、また、接点バネがプラグ部品をレセプタクル内に固定するので、ロック機能をさらに有する。
【０００９】
１以上の形態において、本発明にかかるレセプタクルは、第２接点バネをさらに備え、筐体部分は、第２接点バネを収容するように構成された第２凹所を備える。第２バネは、第１接点バネと同様の機能を有する。
【００１０】
１以上の形態において、第１接点バネ及び／または第２接点バネは、少なくとも１つの屈曲部を有する。
【００１１】
１以上の形態において、第１接点バネ及び／または第２接点バネは、１つのみの屈曲部を有する。これにより、非常に簡素にかつ安価に製造可能な接点バネを提供する。
【００１２】
本明細書には、オーディオデバイス、聴覚デバイスまたは同様のデバイスで使用するための小型化コネクタ用のプラグがさらに開示されており、プラグは、第１雄型プラグ部品と、第１雄型プラグ部品の内側に位置する第１雌型プラグ部品と、を備え、第１雄型プラグ部品は、対応するレセプタクルの内側にこのプラグを固定するように構成された凹所を備える。
【００１３】
複数の雄型プラグ部品のみを有する公知のマイクロジャックコネクタと比較して、雌型プラグ部品を雄型プラグ部品の内側に設けることにより、プラグのサイズを２倍から３倍だけ低減することが可能となる。オーディオデバイス、聴覚デバイスまたは同様のデバイスにプラグを組み込むときに、サイズが重要な要因であり、単にサイズが５０％低減することが大きな違いである場合に、これは、有意義である。
【００１４】
さらに、凹所は、レセプタクル内にある接点バネがレセプタクルとプラグとの間の電気的接触を形成することを可能とし、また、接点バネのための場所を付与してプラグをレセプタクルの内側でロックする機能をさらに有する。
【００１５】
１以上の形態において、プラグは、第１雌型プラグ部品と第１雄型プラグ部品との間に配置された第１絶縁体をさらに備え、それにより、２つのプラグ部品間の電気的接続を防止する。
【００１６】
１以上の形態において、プラグは、少なくとも第１ワイヤ及び第２ワイヤを有するケーブルをさらに備え、第１ワイヤは、第１雌型プラグ部品に接続され、第２ワイヤは、第１雄型プラグ部品に接続される。
【００１７】
１以上の形態において、第１ワイヤ及び第２ワイヤは、リッツ線である。
【００１８】
１以上の形態において、ケーブルは、強化部材及びジャケットをさらに備え、ジャケットは、少なくとも第１及び第２ワイヤと強化部材とを囲む。
【００１９】
１以上の形態において、プラグは、第２雄型プラグ部品と、第１雄型プラグ部品と第２雄型プラグ部品との間に配置された第２絶縁体と、をさらに備え、第２雄型プラグ部品は、２つの雄型プラグ部品間の電気的接触を防止する。
【００２０】
１以上の形態において、ケーブルは、第３ワイヤをさらに備え、第１ワイヤは、第２雄型プラグ部品に接続されている。
【００２１】
本明細書には、公知のマイクロジャックコネクタよりも小さいサイズのコネクタを必要とするデバイス、すなわち、オーディオデバイス、聴覚デバイスまたは同様のデバイスで使用するのに適した小型化コネクタが開示されており、コネクタを組み立てると、第１雌型プラグ部品は、第１雌型レセプタクル部品の内側に位置する第１雄型レセプタクル部品と電気的に接触し、第１雄型プラグ部品は、第１接点バネと電気的に接触する。
【００２２】
１以上の形態において、プラグは、第２雄型プラグ部品を備え、レセプタクルは、第２接点バネを備えており、コネクタを組み立てると、第２雄型プラグ部品は、第２接点バネと電気的に接触する。
【図面の簡単な説明】
【００２３】
【図１】第１実施形態にかかるコネクタを示す図である。
【図２】第２実施形態にかかるコネクタを示す図である。
【図３】第３実施形態にかかるコネクタを示す図である。
【図４Ａ】図１及び図２のコネクタのレセプタクル部品を示す図である。
【図４Ｂ】図４Ａに示すレセプタクルの側面図の分解図である。
【図４Ｃ】レセプタクルを示す正面図である。
【図５Ａ】図１のコネクタのプラグ部品を示す図である。
【図５Ｂ】プラグ部品を示す分解図である。
【図６Ａ】図２のコネクタにあるプラグを示す図である。
【図６Ｂ】プラグを示す分解図である。
【図７Ａ】図３のコネクタにあるプラグを示す図である。
【図７Ｂ】プラグを示す分解図である。
【図８Ａ】図５Ａから図７Ｂのプラグに接続されたケーブルを示す拡大図である。
【図８Ｂ】図５Ａから図７Ｂのプラグに接続されたケーブルを示す拡大図である。
【図８Ｃ】図５Ａから図７Ｂのプラグに接続されたケーブルを示す拡大図である。
【発明を実施するための形態】
【００２４】
図１から図３は、本発明にかかる３つの異なる実施形態のコネクタを示す。コネクタすべては、２つの部品、すなわち、レセプタクル及びプラグを備える。レセプタクルとプラグとの間で電気的接点を形成するための複数の端子は、コネクタに名称を付ける。それにしたがって、２つの端子を有するコネクタをＴ２コネクタと称し、３つの端子を有するコネクタをＴ３コネクタと称する。
【００２５】
図１には、レセプタクル１００Ａ及びプラグ４００Ａを備えるＴ３コネクタが示される。図２は、図１に示すレセプタクルと同一のレセプタクル１００Ａ及びプラグ４００Ｂを備える屈曲型Ｔ３コネクタを示し、図３は、レセプタクル１００Ｃ及びプラグ４００Ｃを備えるＴ２コネクタを示す。
【００２６】
２つの図示した第１実施形態（図１及び図２）に示すレセプタクル１００Ａは、図４Ａから図４Ｃでより詳細に示されており、図４Ｂは、図４Ａの側面図の分解図であり、図４Ｃは、正面図であり、ここで、前方は、プラグを挿入する側を称する。
【００２７】
Ｔ２コネクタで使用されるレセプタクル１００Ｃは、差異点がほとんどなく非常に似ており、差異点を後述する。このため、レセプタクル１００Ｃの詳細は、図示されていない。
【００２８】
（屈曲型）Ｔ３コネクタのレセプタクル１００Ａは、レセプタクル筐体１０８、筐体開口部１０６、第１接点バネ２０２、第２接点バネ２０４及び接点ピン３００を備える。レセプタクル筐体１０８は、好ましくは、例えば耐熱性プラスチック材料など非導電性材料で形成されており、第１接点バネ２０２を収容するように構成された第１レセプタクル凹所１０２と、第２接点バネ２０４を収容するように構成された第２レセプタクル凹所１０４と、を備える。このため、図４Ａ及び図４Ｃに示す組立状態において、第１接点バネ２０２は、レセプタクル筐体１０８にある第１レセプタクル凹所１０２内に嵌り込み、同様に、第２接点バネ２０４は、レセプタクル筐体１０８にある第２レセプタクル凹所１０４内に嵌り込む。
【００２９】
接点ピン３００及び２つの接点バネ２０２、２０４は、導電性材料、好ましくは金属で形成されている。図４Ａから図４Ｃに示す組立状態において、接点ピン３００は、レセプタクル筐体１０８内へ押圧されており、図４Ｃに示すように、接点ピン３００を筐体開口部１０６の内側にロックする接点ピン保持縁部３０２によって、所定位置で維持される。
【００３０】
接点バネ２０２、２０４及び接点ピン３００は、レセプタクル筐体１０８の後側面、すなわちプラグ４００Ａ、４００Ｂを挿入する前方から離れて示す側面に突出している。そのため、接点バネ２０２、２０４及び接点ピン３００は、デバイス内の電気的接点へ容易に電気的に接続され得、このデバイス内へは、例えばハンダ付けによって、レセプタクル１００Ａが取り付けられる。接点バネ２０２、２０４及び接点ピン３００の後端部２０６、２０８、３０４をレセプタクル筐体１０８の同一側面に配置することは、デバイス内の電気的接点を側面ごとに配置し、デバイス内へレセプタクル１００Ａを搭載する場合に、有利である。あるいは、接点バネは、必要に応じて、その中へレセプタクル１００Ａを搭載するデバイスにある接点の配置に起因して、例えばレセプタクル筐体１０８の側面にある別の点において筐体から突出してもよい。
【００３１】
接点バネ２０２、２０４は、接点バネのほぼ中間に屈曲部２１０、２１２を有しており、このため、接点バネにＬ字状デザインを付与する。屈曲部を１つのみ有する単純なＬ字状デザインは、このようなデザインを有する接点バネを容易にかつ高コストでなく製造できるので、有利である。Ｌ字状デザインにより、接点バネ２０６、２０８の後端部とその中へレセプタクル１００Ａを搭載するデバイスにある接点との間に電気的接触を容易に形成できるので、接点バネ２０２、２０４をレセプタクル筐体１０８にある凹所１０２、１０３に同時に固定することを確実にする。
【００３２】
あるいは、接点バネ２０２、２０４は、追加的な屈曲部を有してもよく、そのため、接点バネにＵ字状デザインを付与する。これは、接点バネ２０２、２０４をレセプタクル筐体１０８の後側面にではない別の場所において筐体から突出する場合に、有用である。
【００３３】
レセプタクル１００Ａは、例えば図５Ａ、図５Ｂ、図６Ａ及び図６Ｂにおけるプラグ４００Ａ、４００Ｂの雄型プラグ部品４２０のような対応する雄型プラグ部品を受けるためのいわゆる雌型レセプタクル部品１１０と、図５Ａ、図５Ｂ、図６Ａ及び図６Ｂにおける第１接点管５００のような対応する雌型プラグ部品内へ嵌め込むためのいわゆる雄型レセプタクル部品と、を備える。雌型レセプタクル部品１１０は、レセプタクル筐体１０８と接点バネ２０２、２０４とを備え、雄型レセプタクル部品は、雌型レセプタクル部品１１０の内側に位置する接点ピン３００を備える。
【００３４】
Ｔ２コネクタのレセプタクル１００Ｃは、レセプタクル１００Ｃが第１接点バネ２０２及び第１レセプタクル凹所１０２のみを有する点で、（屈曲型）Ｔ３コネクタのレセプタクル１００Ａとは異なる。このため、Ｔ２型レセプタクル１００Ｂには、第２接点バネ２０４及び第２レセプタクル筐体１０４がない。この点を別として、図１から図３のレセプタクル１００Ａ及び１００Ｃは、同一であり、接点バネ及びレセプタクル筐体の機能、デザインなどの上記説明は、Ｔ２コネクタ用のレセプタクル１００Ｃに適用する。
【００３５】
レセプタクル筐体１０８は、一実施形態において、約ｌ１＝ｌ２＝３ｍｍ、ｌ３＝４ｍｍの外側寸法を有する。レセプタクル開口部１０６は、一実施形態において、約ｄ１＝１．９ｍｍの内径を有する。レセプタクルピン３００は、一実施形態において、約ｄ２＝０．４ｍｍの直径を有する。これにより、レセプタクル１００Ａ、１００Ｃをこの分野における公知のレセプタクルよりも２倍から３倍だけ小さいオーダーにする。
【００３６】
図５Ａ及び図５Ｂは、図１のＴ３コネクタのプラグ４００Ａを示しており、図５Ｂは、図５Ａに示す組立体プラグの側面図の分解図である。プラグ４００Ａは、プラグ筐体頂部４０２及びプラグ筐体底部４０４からなるプラグ筐体を備え、両部分は、好ましくは、例えばプラスチックのような非導電性材料で形成されている。図５Ａに示す組立状態において、プラグ筐体頂部４０２及び底部４０４は、共にプラグ筐体キャビティ４０６を形成しており、ここでは、プラグ筐体溝部４０８が見える。プラグ筐体溝部４０８は、図５Ｂにおいてプラグ筐体底部４０４でのみ見えるが、理解すべきことは、プラグ筐体溝部４０８は、同様に、プラグ筐体頂部４０２に見られる。
【００３７】
プラグ４００Ａは、第１接点管５００及び第１絶縁体６００をさらに備える。第１接点管５００は、好ましくは、例えば金属のような導電性材料で形成されている。第１接点管５００は、第１接点保持縁部５０２を有し、第１接点管５００を組立状態において第１絶縁体６００の内側の所定位置で維持する。第１絶縁体６００は、好ましくは、例えば耐熱性プラスチックなどのような非導電性材料で形成されている。
【００３８】
図５Ａに示す組立状態において、第１絶縁体６００及び第１接点管５００は、第２接点管７００内へ押圧される。第２接点管７００は、好ましくは、例えば金属などの導電性材料で形成されている。同様に、第２接点管７００は、第２接点管７００の外側部分を取り囲む第２接点管襟部７０２を有する。
【００３９】
組立状態において、第２絶縁体８００は、第２接点管７００へ押圧される。第２接点管襟部７０２は、第２絶縁体８００が所定位置に留まることを確実にすることを補助する。第２絶縁体８００は、好ましくは、耐熱性プラスチックなどのような非導電性材料で形成されており、第２絶縁襟部８０２を備え、この第２絶縁襟部は、組立状態において、第２接点管襟部７０２に対して押圧される。
【００４０】
第３接点管９００は、第２絶縁体８００を囲み、第３接点管襟部９０２及び一体的な第３接点管溝部９０４を有する。図５Ａに示す組立状態において、第３接点管襟部９０２は、第２絶縁襟部８０２に対して押圧されており、そのため、第２絶縁襟部８０２は、第２接点管襟部７０２と第３接点管溝部９０４との間に位置する。第３接点管襟部９０２は、組立状態において、プラグ筐体４０２、４０４にあるプラグ筐体溝部４０８内へ嵌り込んでいる。
【００４１】
プラグ４００Ａは、ジャケット１０１０内に囲まれた第１ワイヤ１００２、第２ワイヤ１００４、第３ワイヤ１００６及び強化部材１００８を備え、ジャケットは、プラスチックのような非導電性材料で形成されている。ワイヤ１００２、１００４、１００６は、図８Ａから図８Ｃに関連して説明するように、リッツ線などであってもよい。
【００４２】
プラグを組み立てると、第１ワイヤ１００２は、第１接点管５００に取り付けられ、第２ワイヤ１００４は、第２接点管７００に取り付けられ、第３ワイヤ１００６は、第３接点管９００に取り付けられる。ワイヤ１００２、１００４、１００６の取り付けは、好ましくは、ハンダ付けを用いてなされる。
【００４３】
組立状態において、接点管５００、７００、９００、絶縁体６００、８００及びケーブル１０００を備えるプラグ組立体は、第３接点管襟部９０２をプラグ筐体溝部４０８内へ配置するように、プラグ筐体底部４０４内へ配置される。プラグ筐体頂部４０２は、プラグ筐体頂部４０２にあるプラグ筐体溝部４０８を第３接点管襟部９０２及びプラグ筐体底部４０４にあるプラグ筐体溝部４０８と位置合わせするように、プラグ筐体底部４０４内に挿入されたプラグ組立体の頂部に配置される。
【００４４】
プラグ筐体頂部４０２及び底部部分４０４を組み立てた後、プラグ筐体キャビティ４０６には、有利には、プラグ筐体開口部４１０を介して、接着剤が充填される。これは、強化部材１００８をプラグ４００Ａ内へ固定し、ケーブル１０００を引っ張って外へ抜くことを防止する。接着剤は、さらに、ワイヤ１００２、１００４、１００６を湿度及び腐食から保護する。
【００４５】
（ケーブル１０００が筐体４０２、４０４から出る）ケーブル出口端部４２２、４２４において、プラグ筐体４０２、４０４は、丸縁部を有する。丸縁部は、応力緩和としての機能を形成し、ケーブル１０００がプラグ筐体４０２、４０４の外側にある出口点において容易に破損しないことを確実にする。
【００４６】
組立リング１１００は、組立プラグ筐体頂部４０２及び底部４０４上にかつ組立プラグ筐体頂部及び底部にわたって押圧されており、それにより、プラグ４００Ａを一緒のまま維持する。組立リング１１００は、好ましくは、金属から形成されているが、強度及び外観などへの要件に応じて、プラスチックで形成されてもよい。
【００４７】
図６Ａ、図６Ｂは、図２に示す屈曲型Ｔ３コネクタのプラグ４００Ｂを示しており、図６Ｂは、図６Ａに示す側面図の分解図である。屈曲型Ｔ３コネクタ４００Ｂは、図１及び図５Ａ、図５Ｂに示す直線型Ｔ３コネクタと同一要素を有し、プラグ筐体のデザインの点でのみ異なっており、このプラグ筐体は、この実施形態において、屈曲形状を有する。
【００４８】
屈曲型Ｔ３コネクタ４００Ｂにおいて、筐体部分は、屈曲プラグ筐体前部４１２及び屈曲プラグ筐体後部４１４を有する。組み立てた屈曲プラグ筐体前部４１２及び後部４１４は、共に、屈曲プラグ筐体キャビティ４１６を形成し、この屈曲プラグ筐体キャビティは、外側から見ると、屈曲筐体の形状に似た屈曲形状を有する。屈曲プラグ筐体後部４１４の内側には、屈曲プラグ筐体溝部４１８がある（図において視認不能）。
【００４９】
プラグ４００Ａ、４００Ｂは、図４Ａから図４Ｃにおけるレセプタクル１００Ａの雌型レセプタクル部品１１０のような対応する雌型レセプタクル部品内へ嵌り込むためのいわゆる雄型プラグ部品４２０を備える。プラグ４００Ａ、４００Ｂは、さらに、図４Ａから図４Ｃにおけるレセプタクル１００Ａの接点ピン３００のような対応する雄型レセプタクル部品を受け入れるためのいわゆる雌型プラグ部品を備える。雄型プラグ部品４２０は、第２及び第３接点管７００、９００及び絶縁体６００、８００を備えている一方、雌型プラグ部品は、第１接点管５００である。
【００５０】
図１のＴ３コネクタ及び／または図２の屈曲型Ｔ３コネクタは、プラグ４００Ａ、４００Ｂをレセプタクル１００Ａ内へ挿入することによって、組み立てられる。第２接点管７００の前方部分７０４と第２接点管襟部７０２とは、プラグ４００Ａをレセプタクル開口部１０６内へ案内することを補助する。プラグ４００Ａ、４００Ｂをレセプタクル１００Ａ内へ挿入するとき、第１接点バネ２０２は、第１接点バネ２０２を第３接点管溝部９０４内へ嵌合するまで、第２接点バネ２０４から離間する方向へ押され、それにより、そのもともとの形状を保持すると同時に、プラグ４００Ａ、４００Ｂをレセプタクル１００Ａ内に固定する。これにより、プラグ４００Ａ及びレセプタクル１００Ａの組立体を共にロックすることを確実にする。そのため、プラグ４００Ａ及びレセプタクル１００Ａをプラグ解除するために、いくらかの力を必要とする。
【００５１】
プラグ４００Ａ、４００Ｂ及びレセプタクル１００Ａを組み立てると、レセプタクル１００Ａ内へ搭載された接点ピン３００は、プラグ４００Ａの第１接点管５００の内側へ嵌り込み、そのため、２つの部分は、電気的接続状態にある。同様に、第１接点バネ２０２は、それを第３接点管溝部９０４内へ嵌め込むと、第３接点管９００と電気的に接触し、第２接点バネ２０４は、第２接点管７００にある襟部７０２と電気的に接触する。
【００５２】
第１絶縁体６００は、第１接点管５００と第２接点管７００との間に電気的な接続がないことを確実にする。同様に、第２絶縁体８００は、第２接点管７００と第３接点管９００との間に電気的な接続がないことを確実にする。
【００５３】
図７Ａ及び図７Ｂは、図３のＴ２コネクタにあるプラグ４００Ｃを示しており、図７Ｂは、図７Ａの組み立てたＴ２プラグの分解図である。Ｔ２コネクタのプラグ４００Ｃは、それが２つの接点管５００、９００、ケーブル１０００内の２つのワイヤ１００２、１００６及び２つの接点管５００、９００を離間させる１つの絶縁体６００のみを備える点で、（屈曲型）Ｔ３コネクタのプラグ４００Ａ、４００Ｂとは異なる。そうでなければ、Ｔ２プラグ４００Ｃの個別の部分は、図５Ａ、図５Ｂ及び図６Ａ内へ、図６Ｂにおける（屈曲型）Ｔ３プラグ４００Ａ、４００Ｂに関して上述したものと同様に、組み立てられ、機能する。
【００５４】
Ｔ２プラグ４００Ｃは、同様に、図６Ａ、図６Ｂにおける屈曲型Ｔ３プラグ４００Ｂと同様の形態で構成された屈曲型Ｔ２プラグの形状をなしてもよい。
【００５５】
プラグ４００Ａ、４００Ｂ、４００Ｃのケーブル１０００は、２本または３本の接続ワイヤに限定されない。ケーブルは、同様に、例えば４本、５本、６本以上のようにより多いワイヤを備えてもよい。これら追加的なワイヤは、このような場合において、プラグ内の追加的な接点管にハンダ付けされており、このため、ワイヤ１００２、１００４、１００６が接点管５００、７００、９００に接続するのと同様の態様で、レセプタクルにある対応する接触部分に接続し、これら接点管は、同様に、コネクタを組み立てると、レセプタクル内の接点バネ２０２、２０４及び接触ピン３００と電気的に接触する。
【００５６】
プラグ内の追加的な接触管は、図５Ａから図７Ｂのプラグに関して説明したのと同様のデザインを有する雄型接触管または雌型接触管であってもよい。同様に、レセプタクルは、プラグの接触管と接触するために、図４Ａから図４Ｃにおいて説明したように、より多くの接触バネ及び／または接触ピンを備えてもよい。
【００５７】
プラグ４００Ａ、４００Ｂ、４００Ｃの雄型部品４２０は、一実施形態において、レセプタクル開口部１０６の内径に一致する約１．９ｍｍの外形を有する。プラグ４００Ａ、４００Ｂ、４００Ｃは、一実施形態において、約６．６ｍｍの長さを有する。これにより、プラグ４００Ａ、４００Ｂ、４００Ｃは、公知の２．５ｍｍの及び３．５ｍｍのマイクロジャックプラグ部品コネクタよりもサイズにおいて２倍から３倍だけ小さい。
【００５８】
図８Ａは、ケーブル１０００を詳細に示しており、このケーブルは、共にコア部分１０１２を構成する３本のワイヤ１００２、１００４、１００６及び強化部材１００８を備え、このコア部分は、外側絶縁ジャケット１０１０によって囲まれている。導電性ワイヤ１００２、１００４、１００６は、塗料が塗布されており、図８Ｂに示すように、強化部材１００８と共に捩じられており、この図８Ｂは、コア部分１０１２を詳細図で示す。
【００５９】
図８Ａにおいて、ケーブル１０００は、外側絶縁ジャケット１０１０を両端部においてワイヤ１００２、１００４、１００６から剥ぎ取った状態で示しており、ワイヤ１００２、１００４、１００６は、同様に、両端において分けられている。したがって、ワイヤ１００２、１００４、１００６の端部は、電気的手段に接続され、そして、電気信号は、ワイヤ１００２、１００４、１００６を通って伝送される。
【００６０】
ワイヤ１００２、１００４、１００６は、好ましくは、塗料を付した導電性ワイヤであり、これら導電性ワイヤは、導電性ワイヤ１００２、１００４、１００６の導電性部分を被覆する塗料に起因して、互いに絶縁されている。その結果、導電性ワイヤは、各導電性ワイヤの周囲において、外側絶縁ジャケットをナイロン、シリコーン、ポリエチレン、ＰＶＣ、ポリアミド、ポリエステル、ペバックス（登録商標）のような絶縁材料で形成することなく、互いから絶縁される。これによって、導電性ワイヤ１００２、１００４、１００６の外径を劇的に低減し、その結果、絶縁ワイヤ１００２、１００４、１００６の外径をさらに低減する。
【００６１】
絶縁ワイヤ１００２、１００４、１００６の可撓性及び柔軟性は、しばしば導電性ワイヤの周囲に使用されている比較的柔軟性のないかつ硬質な外側絶縁ジャケットを省略するので、さらに改善される。強化部材１００８は、ケーブルの強度を改善し、ケーブルの強度は、強化部材１００８の材料を選択することによって、強化部材１００８の寸法を調整することによって、または、１より多い強化部材１００８をケーブル１０００内へ組み込むように選択することによって、具体的な使用へ設計される。あるいは、非常に軟質で可撓性を有するケーブルを必要とする場合、強化部材を省略してもよい。
【００６２】
本発明で使用されるケーブルは、さらに、塗料付導電性ワイヤを捩じっているので、電気機械（ＥＭ）雑音のような雑音に対して、影響を受けにくくなる。このため、本発明にかかるケーブル１０００は、可撓性、軟質性及び強度を組み合わせる。
【００６３】
図８Ｂは、外側絶縁ジャケット１０１０のない図８Ａに示すケーブル１０００の一端部を示す。わかることは、塗料付導電性ワイヤ１００２、１００４、１００６及び可撓性を有する強化部材１００８を共に捩じり、そのため、これらが螺旋を形成することである。ケーブル１０００の剛性、軟質性及び強度は、ケーブル１０００及び／または強化部材１００８の材料及び寸法を変更することによって、さまざまな顧客の仕様に適合するように変更される。ケーブル１０００の強度は、例えば、より多くの強化部材１００８を追加することによって、強固な材料で形成された強化部材１００８を選択することによって、並びに／または、強化部材１００８及び／もしくは導電性ワイヤ１００２、１００４、１００６の寸法を増大させることによって、増大される。強化部材１００８は、例えば、耐熱性のかつ強固な合成繊維で形成されてもよく、この合成繊維は、引っ張っても長さが伸びない。このような繊維は、例えば、アラミド繊維であってもよい。
【００６４】
ケーブルの剛性、軟質性及び強度に応じて、ケーブルが近接する異なる環境によって形成される静電気に応じてケーブルを外皮近傍またはクロス近傍に配置する用途に関して適している。
【００６５】
図８Ａ及び図８Ｂに示す錫の導電性マグネットワイヤ１００２、１００４、１００６は、例えばマグネットワイヤ等であってもよく、これらマグネットワイヤには、これらを共に捩じって螺旋を形成する前に、個別に塗料が付されている。その結果、塗料付導電性ワイヤは、各マグネットワイヤが塗料付導電性ワイヤに対して強度を付与するので、非常に可撓性を有しかつ強固であり、また、マグネットワイヤに個別に塗料を付しているので、マグネットワイヤは、互いに対して変位されることができ、その結果、可撓性を有する導電性ワイヤとなる。
【００６６】
図８Ａ及び図８Ｂに示す１以上のワイヤ１００２、１００４、１００６は、例えば着色塗料を用いることによって、着色されてもよく、これにより導電性ワイヤ１００２、１００４、１００６を容易に区別するためのトレーサを形成する。ワイヤ１００２、１００４、１００６は、例えば、磁気を有するかつ／または塗料が付されていてもよい。塗料を付すことは、塗料を含む槽を通してワイヤ１００２、１００４、１００６を引っ張ることによって、加熱すると溶融する静電粉体でワイヤ１００２、１００４、１００６を被覆することによって、ワイヤ１００２、１００４、１００６に塗料を吹き付けることによって、得られる。塗料層は、例えばポリアミド、ポリウレタンなどであってもよい。これにより、塗料付導電性ワイヤ１００２、１００４、１００６は、リッツ線１００２、１００４、１００６を形成し、各マグネットワイヤ１００２、１００４、１００６には、個別に塗料が付される。
【００６７】
図８Ｃは、本発明にかかる別の実施形態のケーブル１０００を示しており、ケーブル１０００の一端部を図示している。捩じったワイヤ１００２、１００４、１００６及び強化部材１００８は、接着剤１０１４によって、外側絶縁ジャケット１０１０に固定されている。これにより、接着剤１０１４により空気、湿気及び粉塵が外側ジャケット１０１０から入ることを防止するので、ケーブル１０００は、気密に形成される。これにより、ケーブル１０００を腐食に対して改善させ、さらなる音が外側絶縁ジャケット１０１０の内側を移動することを許さない。
【００６８】
接着剤１０１４は、例えば強化部材１００８をプラグに固定することによって、ケーブル１０００をプラグ４００Ａ、４００Ｂ、４００Ｃ内に固定するためにさらに使用される。ワイヤ１００２、１００４、１００６は、この実施形態で示すように、それら端部１０２２、１０２４、１０２６において錫メッキされており、そのため、各ワイヤ１００２、１００４、１００６が複数の個別の塗料付マグネットワイヤを備える（図８Ａ及び図８Ｂにおいて説明したように、これらマグネットワイヤを共に捩じる）実施形態において、同一のリッツ線における各塗料付マグネットワイヤ間の電気的接続を確実にする。あるいは、塗料付マグネットワイヤ間の電気的接続は、導電性接着剤を用いることによって、または、マグネットワイヤを共に溶融することによって、設立されてもよい。錫メッキされた端部１０２２、１０２４、１０２６は、各塗料付マグネットワイヤをプラグ４００Ａ、４００Ｂ、４００Ｃに対してロウ付けし、それにより、プラグ４００Ａ、４００Ｂ、４００Ｃとケーブル１０００との間に非常に良好な接触を形成することをさらに確実にする。
【００６９】
図８Ａから図８Ｃに示す個別のワイヤ１００２、１００４、１００６は、例えば、複数のマグネットワイヤに塗料を付してこれらを１つの束に纏めることによって、製造されてもよい。塗料付マグネットワイヤの一部を選択的に着色してもよい。そして、一束の塗料付マグネットワイヤを捩じり、このため、塗料付導電性ワイヤ１００２、１００４、１００６を形成し、これら塗料付導電性ワイヤは、選択的に、区別する目的で、着色したマグネットワイヤである。７本のマグネットワイヤは、一実施形態において、共に捩じられ、これらワイヤのうちの２本は、着色されている。しかしながら、他の実施形態では、任意の数のマグネットワイヤ及び／または着色マグネットワイヤを共に捩じってもよい。
【００７０】
個別のワイヤ１００２、１００４、１００６を製造した後、複数のワイヤ及び強化部材１００８は、共に捩じられ、外側ジャケットは、捩じった導電性ワイヤ１００２、１００４、１００６及び強化部材１００８の周囲に押し出される。図８Ａ及び図８Ｂに示す一実施形態にかかるケーブル１０００において、それぞれ異なる着色マグネットワイヤである３本の導電性ワイヤ１００２、１００４、１００６は、強化部材１００８として機能するアラミド繊維と共に捩じられる。このため、ケーブル１０００は、３本のリード線１００２、１００４、１００６を備え、これらリード線は、これらの着色によって容易に識別される。
【符号の説明】
【００７１】
１００Ａ  Ｔ３レセプタクル
１００Ｃ  Ｔ２レセプタクル
１０２  第１レセプタクル凹所
１０４  第２レセプタクル凹所
１０６  筐体開口部
１０８  レセプタクル筐体
１１０  雌型レセプタクル部品
２０２  第１接点バネ
２０４  第２接点バネ
２０６  第１接点バネの後端部
２０８  第２接点バネの後端部
２１０  第２接点バネの屈曲部
３００  接点ピン／雄型レセプタクル部品
３０２  接点ピン保持縁部
４００Ａ  Ｔ３プラグ
４００Ｂ  屈曲型Ｔ３プラグ
４００Ｃ  Ｔ２プラグ
４０２  プラグ筐体頂部
４０４  プラグ筐体底部
４０６  プラグ筐体キャビティ
４０８  プラグ筐体溝部
４１０  プラグ筐体開口部
４１２  屈曲型プラグ筐体前方部
４１４  屈曲型プラグ筐体後方部
４１６  屈曲型プラグ筐体キャビティ
４１８  屈曲型プラグ筐体溝部
４２０  雄型プラグ部品
４２２  ケーブル出口端部（筐体頂部４０２／筐体前方部４１２）
４２４  ケーブル出口端部（筐体底部４０４／筐体後方部４１４）
５００  第１接点管／雌型プラグ部品
５０２  第１接点管保持縁部
６００  第１絶縁体
７００  第２絶縁管
７０２  第２接点管襟部
７０４  第２接点管の前方部分
８００  第２絶縁体
８０２  第２絶縁体襟部
９００  第２接点管
９０２  第３接点管襟部
９０４  第３接点管溝部
１０００  ケーブル
１００２  第１ワイヤ
１００４  第２ワイヤ
１００６  第３ワイヤ
１００８  強化部材
１０１０  ジャケット
１０１２  コア部分
１０１４  接着剤
１０２２  第１ワイヤの端部
１０２４  第２ワイヤの端部
１０２６  第３ワイヤの端部
１１００  組立体リング
【図１】
2015518261.tif 000003
【図２】
2015518261.tif 000004
【図３】
2015518261.tif 000005
【図４Ａ】
2015518261.tif 000006
【図４Ｂ】
2015518261.tif 000007
【図４Ｃ】
2015518261.tif 000008
【図５Ａ】
2015518261.tif 000009
【図５Ｂ】
2015518261.tif 000010
【図６Ａ】
2015518261.tif 000011
【図６Ｂ】
2015518261.tif 000012
【図７Ａ】
2015518261.tif 000013
【図７Ｂ】
2015518261.tif 000014
【図８Ａ】
2015518261.tif 000015
【図８Ｂ】
2015518261.tif 000016
【図８Ｃ】
2015518261.tif 000017
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
オーディオデバイス、聴覚デバイスまたは同様のデバイスで使用するための小型化コネクタ用のレセプタクル（１００Ａ、１００Ｃ）であって、当該レセプタクルが、
−第１雌型レセプタクル部品であって、
＊第１接点バネ（２０２）と、
＊プラグ（４００Ａ、４００Ｂ、４００Ｃ）を受けるように構成された筐体開口部（１０６）を有する前端部を有する筐体部分（１０８）と、
＊前記前端部から離間するように向く後側面と、
＊前記第１接点バネ（２０２）を収容するように構成された第１凹所（１０２）と、
を備える第１雌型レセプタクル部品と、
−前記第１雌型レセプタクル部品の内側に位置する第１雄型レセプタクル部品（３００）と、
を備え、
前記第１接点バネ（２０２）が、ほぼ直線状に前記筐体開口部（１０６）全体を通って突出することを特徴とするレセプタクル。
【請求項２】
第２接点バネ（２０４）をさらに備え、
前記筐体部分が、第２接点バネ（２０４）を収容するように構成された第２凹所（１０４）を備え、
前記第２接点バネ（２０４）が、ほぼ直線状に前記筐体開口部（１０６）全体を通って突出することを特徴とする請求項１に記載のレセプタクル。
【請求項３】
前記第１雄型レセプタクル部品（３００）の後端部（３０４）、前記第１接点バネ（２０２）の後端部（２０６）及び／または前記第２接点バネ（２０４）の後端部（２０８）が、前記筐体部分の前記後側面から突出することを特徴とする請求項１または２に記載のレセプタクル。
【請求項４】
前記第１接点バネ（２０２）及び／または前記第２接点バネ（２０４）が、Ｌ字状であることを特徴とする請求項１から３のいずれか１項に記載のレセプタクル。
【請求項５】
前記第１接点バネ（２０２）及び／または前記第２接点バネ（２０４）が、Ｕ字状であることを特徴とする請求項１から３のいずれか１項に記載のレセプタクル。
【請求項６】
オーディオデバイス、聴覚デバイスまたは同様のデバイスで使用するための小型化コネクタ用のプラグ（４００Ａ、４００Ｂ、４００Ｃ）であって、当該プラグが、
−プラグ筐体キャビティ（４０６）を有するプラグ筐体（４０２、４０４）であって、プラグ筐体溝部（４０８）がある、プラグ筐体と、
−前記プラグ筐体キャビティ（４０６）の内側に部分的に位置する第１雄型プラグ部品（９００）であって、当該第１雄型プラグ部品（９００）が、一端部にある凹所（９０４）と、他端部にある襟部（９０２）と、を有し、前記凹所（９０４）が、当該プラグ（４００Ａ、４００Ｂ、４００Ｃ）を対応するレセプタクルの内側に固定するように構成され、前記襟部（９０２）が、前記プラグ筐体溝部（４０８）内へ嵌り込むように構成された、第１雄型プラグ部品と、
−前記第１雄型プラグ部品（９００）の内側に位置する第１雌型プラグ部品（５００）と、
−前記第１雌型プラグ部品（５００）と前記第１雄型プラグ部品（９００）との間に配置され、それにより、前記第１雌型及び第１雄型プラグ部品間の電気的な接触を防止する第１絶縁体（６００）と、
を備えることを特徴とするプラグ。
【請求項７】
少なくとも第１ワイヤ（１００２）及び第２ワイヤ（１００６）を有するケーブル（１０００）をさらに備え、
前記第１ワイヤ（１００２）が、前記第１雌型プラグ部品（５００）に接続され、
前記第２ワイヤ（１００６）が、前記第１雄型プラグ部品（９００）に接続されることを特徴とする請求項６に記載のプラグ。
【請求項８】
前記第１ワイヤ（１００２）及び前記第２ワイヤ（１００６）が、リッツ線であることを特徴とする請求項７に記載のプラグ。
【請求項９】
前記ケーブルが、強化部材（１００８）及びジャケット（１０１０）をさらに備え、
前記ジャケットが、少なくとも前記第１及び第２ワイヤと前記強化部材とを囲むことを特徴とする請求項７または８に記載のプラグ。
【請求項１０】
第２雄型プラグ部品（７００）及び第２絶縁体（８００）をさらに備え、
前記第２雄型プラグ部品（７００）が、前記第１絶縁体（６００）と前記第２絶縁体（８００）との間に配置され、
前記第２絶縁体（８００）が、前記第２雄型プラグ部品（７００）と前記第１雄型プラグ部品（９００）との間に配置され、前記第２雄型プラグ部品と前記第１雄型プラグ部品との間の電気的接触を防止することを特徴とする請求項６から９のいずれか１項に記載のプラグ。
【請求項１１】
前記ケーブル（１０００）が、第３ワイヤ（１００４）をさらに備え、
前記第３ワイヤ（１００４）が、前記第２雄型プラグ部品（７００）に接続されることを特徴とする請求項１０に記載のプラグ。
【請求項１２】
前記プラグ筐体（４０２、４０４）が、前記プラグ筐体キャビティ（４０６）へのアクセスを形成するプラグ筐体開口部（４１０）を備えることを特徴とする請求項６から１１のいずれか１項に記載のプラグ。
【請求項１３】
公知のマイクロジャックコネクタよりも小さいサイズのコネクタを必要とするデバイス、すなわち、オーディオデバイス、聴覚デバイスまたは同様のデバイスで使用するのに適した小型化コネクタであって、
当該コネクタが、請求項６から１２のいずれか１項に記載のプラグと、請求項１から５のいずれか１項に記載のレセプタクルと、を備え、
当該コネクタを組み立てると、
−前記第１雌型プラグ部品（５００）が、前記第１雌型レセプタクル部品の内側に位置する前記第１雄型レセプタクル部品（３００）と電気的に接触し、
−前記第１雄型プラグ部品（９００）が、前記第１接点バネ（２０２）と電気的に接触することを特徴とする小型化コネクタ。
【請求項１４】
前記プラグが、前記第２雄型プラグ部品（７００）を備え、
前記レセプタクルが、前記第２接点バネ（２０４）を備え、
当該コネクタを組み立てると、前記第２雄型プラグ部品（７００）が、前記第２接点バネ（２０４）と電気的に接触することを特徴とする請求項１３に記載の小型化コネクタ。
【国際調査報告】
2015518261.tif 000018
2015518261.tif 000019